(57)【要約】【課題】球払出装置に負荷を掛けることなく高速の払出しにも対応できるパチンコ遊技機の球供球路を提供する。【解決手段】球タンク１０に貯留されたパチンコ球を一列に整列して流下させる単幅流路１２ａと、前記単幅流路１２ａの下流でパチンコ球がジグザグ状の形態をなして流下するように内幅をパチンコ球の直径の２倍より狭い範囲で拡幅した幅広流路１２ｂと、前記幅広流路１２ｂの下流を漏斗状に形成しパチンコ球を再び一列にして球払出装置２４に流下させる排出流路１２ｃとを備えてなる。【選択図】  図２
2004159861.tif 000002
【特許請求の範囲】
【請求項１】
球タンクに貯留されたパチンコ球を一列に整列して流下させる単幅流路と、前記単幅流路の下流でパチンコ球がジグザグ状の形態をなして流下するように内幅をパチンコ球の直径の２倍より狭い範囲で拡幅した幅広流路と、前記幅広流路の下流を漏斗状に形成しパチンコ球を再び一列にして球払出装置に流下させる排出流路とを備えてなることを特徴とするパチンコ遊技機の球供給路。
【請求項２】
前記幅広流路を球タンクと球払出装置とを結ぶ流下路の複数箇所に形成したことを特徴とする請求項１記載のパチンコ遊技機の球供給路。
【発明の詳細な説明】
【０００１】
【発明の属する技術分野】
本発明は、球払出装置にパチンコ球を連続して供給するパチンコ遊技機の球供給路に関するものである。
【０００２】
【従来の技術】
従来、パチンコ球を球払出装置に供給する球供給路は、パチンコ球を１列に整列して供給するようにしており、連続するパチンコ球の球圧が球払出装置に一気に掛からないようにするために、球供給路を屈曲させて球圧を弱めて供給するようにしていた（例えば、特許文献１参照。）。
【０００３】
【特許文献１】
特開平１０−１９２５０９号公報
【０００４】
【発明が解決しようとする課題】
しかしながら、従来の球供給路においては、屈曲することにより球圧は弱められるものの、球払出装置で払出しが高速で行われると、パチンコ球が１列で連続しているために後方のパチンコ球が払出しのスピードに追いつかず、パチンコ球間に隙間が生じてしまい、その隙間によって球払出装置に供給されるタイミングがずれて球噛み・空切りを発生させるという問題があった。
【０００５】
本発明は、上記の課題に鑑みてなされたもので、その目的とするところは、球払出装置に負荷を掛けることなく高速の払出しにも対応できるパチンコ遊技機の球供球路を提供するものである。
【０００６】
【課題を解決するための手段】
上記の目的を達成するために、請求項１記載の発明は、球タンクに貯留されたパチンコ球を一列に整列して流下させる単幅流路と、前記単幅流路の下流でパチンコ球がジグザグ状の形態をなして流下するように内幅をパチンコ球の直径の２倍より狭い範囲で拡幅した幅広流路と、前記幅広流路の下流を漏斗状に形成しパチンコ球を再び一列にして球払出装置に流下させる排出流路とを備えてなることを特徴とする。幅広流路を形成することにより、通路幅がパチンコ球１個程度からほぼ複列で流下し得る幅広となることから、球圧が該幅広流路で一瞬にして分散される。しかも貯留量が増え、幅広流路に貯留されるパチンコ球はジグザグ状の形態をなして貯留され、連続するパチンコ球の球心間がパチンコ球の径より小となるので、高速で払出しが行われてもパチンコ球間に隙間が生じることなく、球払出装置に確実に連続状態で供給することができる。また、幅広流路はパチンコ球が所定個数、例えば１５個（賞球１個分），２５個（貸球１００円相当分）貯留される大きさとするのが好ましい。
【０００７】
請求項２記載の発明は、請求項１記載の発明において、前記幅広流路を球タンクと球払出装置とを結ぶ流下路の複数箇所に形成したことを特徴とする。幅広流路を複数箇所に形成することで球圧を段階的に弱めることができ、さらに貯留量を増やすことができる。また、このとき拡幅方向を異ならせるのが好ましく、拡幅方向を異ならせることにより流下方向を変化させ球圧を軽減することができる。
【０００８】
前記幅広流路の下流を傾斜壁により漏斗状に形成し、前記傾斜壁は幅広流路側に曲率中心が位置する内面円弧状に形成するのが好ましい。これにより、幅広流路内を半複列で流下するパチンコ球がブリッジを形成して球詰りすることなく確実に１個ずつ流下させることができる。
【０００９】
前記幅広流路の流入及び流出部は互いに膨出方向に位置をずらして形成するのが好ましい。これにより、球荷重が球払出装置に直接的に掛かることがなく、一旦傾斜壁で球荷重を受けることになり払出しをスムーズにすることができる。
【００１０】
前記幅広流路を球払出装置の直上の垂直通路部に形成するのが好ましく、球圧及び流速の効果がより顕著なものとなる。
【００１１】
【発明の実施の形態】
以下本発明に係る実施の形態を図面に基づき説明する。図１はパチンコ遊技機の裏面図である。図において、１はパチンコ遊技機の機枠、２は機枠１の前面に開閉自在に装着される額縁状に形成された前面枠、３は該前面枠２の後側に設けられた遊技盤取付枠４を介して着脱自在に装着される遊技盤である。そして、前記遊技盤３の後面に開口窓６を開口した機構板５が装着される。該開口窓６の裏面上部にはパチンコ球を貯留する球タンク１０が設けられており、該球タンク１０の球出口から導出されたパチンコ球を整列した状態で球払出装置２４に供給する球供給樋としての球誘導樋２２及び屈曲誘導樋２３が設けられる。球誘導樋２２及び屈曲誘導樋２３には、自重で流下させるべく球供給路１１，１２が設けられている。なお、本実施の形態において球タンク１０，球誘導樋２２および屈曲誘導樋２３，球払出装置２４を機構板５に設けるようにしたが前面枠２側に直接設けるようにしてもよい。
【００１２】
前記球払出装置２４の下方には該球払出装置２４から払出されたパチンコ球を打球供給皿（図示せず）に導く球排出樋２５と、その余剰球を下部球受皿に導く余剰球通路２６が後面を開口した樋状として形成されており、その後面開口がカバー板２７によって覆われている。また、機構板５の下方には入賞球を集合する入賞球集合部２８が形成されている。そして、前記入賞球集合部１７の下方であり、かつ平坦面として形成された板状部に球払出制御基板１８が設置されている。１９は遊技盤３の裏面に設置され、前記開口窓６から臨む大型の基板ボックスであり、該基板ボックス１９には遊技機全体の遊技動作を制御する遊技制御基板が収納されている。
【００１３】
前記球誘導樋２２は、直線状に下傾して上面が開放しパチンコ球を整列して自重で流下する球供給路１１が形成されており、該球供給路１１はパチンコ球が一列に整列して並ぶ１２ｍｍの通路幅を有している。一方、前記屈曲誘導樋２３は、前記球誘導樋２２の球供給路１１に連通し四方が囲まれた筒状の球供給路１２が形成されている。
【００１４】
前記球供給路１２は、上流部を湾曲状に屈曲させパチンコ球を一列に整列して流下させる単幅流路１２ａと、前記単幅流路１２ａの下流で垂直状の一側壁を膨出してパチンコ球がジグザグ状の形態をなして流下するように流下路の内幅をパチンコ球の直径の２倍より狭い範囲（好ましくは１８ｍｍ〜２１ｍｍ）で拡幅した幅広流路１２ｂと、前記幅広流路１２ｂの下流を傾斜壁１４により漸次縮幅するように漏斗状に形成しパチンコ球を再び一列にして球払出装置２４に流下させる排出流路１２ｃとを備えている。前記幅広流路１２ｂは、この実施の形態において、最大通路幅を約２１ｍｍとしてパチンコ球が２個並列しない通路幅が選ばれる。図２に示すように幅広流路１２ｂには、ほぼパチンコ球がジグザグ状に連続して整列して並び、その連続するパチンコ球の球心間Ｄがパチンコ球の径より小となっている。また、この幅広流路１２ｂは、約１５個（賞球１回相当分）程度のパチンコ球が貯留される距離としている。前記傾斜壁１４は、幅広流路１２ｂ側を曲率中心とする内面円弧状に形成され、図上Ｒ５０の緩やかな円弧面としている。なお、直線状の傾斜壁１４によってパチンコ球が１個通過し得る通路幅に漸次縮幅するようにしてもよい。また、幅広流路１２ｂの幅員は、上流部がパチンコ球の直径のほぼ２倍の２２ｍｍ〜２４ｍｍであってもよい。
【００１５】
前記球払出装置２４は、図３乃至図５に示すように、箱枠状のケース体２８に前記屈曲誘導樋２３の球供給路１２と連通する球通路２９と、該球通路２９に臨み最先のパチンコ球を制御支持しパチンコ球の荷重により回転する払出回転体３０と、前記払出回転体３０の回転を制御する制御手段３１とを備え構成している。前記ケース体２８は、前記球通路２９が形成される本体２８ａと該球通路２９を閉塞する仕切板２８ｂとカバー体２８ｃとで構成されている。なお、該球払出装置２４は、本発明の直接的要旨ではないが、本発明の球供給路の高速の払出しに対応し得る技術内容をより明確にするべく、高速の払出しが可能な詳細を具体的に説明する。
【００１６】
前記球通路２９は、図５に示すように始端部を前記屈曲誘導樋２３の球供給路１２と同幅で、ほぼパチンコ球１個分の通路幅の１２ｍｍの流入通路部２９ａと、払出回転体３０に沿った円弧状の移送通路部２９ｂと、前記払出回転体３０の支持から外れて払出される傾斜状の排出通路部２９ｃとで構成されている。前記排出通路部２９ｃは約２５°〜３０°の角度で下傾しており、払出されるパチンコ球が前記払出回転体３０の高速回転により回転方向に運ばれ側壁に衝止するのを防ぎ、滑らかな払出しを実現する。
【００１７】
前記払出回転体３０は、外周に凹凸部としての凹凸歯３６，３７を複数（本実施の形態において５個）有するスプロケットタイプで、前記球通路２９内でパチンコ球を凹歯３６で受入れて、該パチンコ球の重量が該払出回転体３０に回転トルクを及ぼすように軸支３９している。前記凸歯３７から凹歯３６にかけて軸心３９からの距離が漸次減少する巴形状として、凸歯３７で支持されたパチンコ球を凹歯３６に素早く受入れるようにしている。このため、高速回転による払出しに対応することができる。
【００１８】
前記制御手段３１は、前記払出回転体３０の軸方向側方に位置して前記凹凸歯３６，３７と同ピッチで設けられる軸ピン３８と、電気的駆動源の作動によって前記軸ピン３８，３８間に進退自在に出没する作動体３２とを備えている。前記軸ピン３８は、前記凹歯３６と同数（５個所）設けられた円柱ピンである。なお、前記軸ピン３８は円柱ピンに限定されることなく多角柱等の軸状の突出体であってもよく、好ましくは作動体３２と接触する少なくとも回転方向側を円弧面状に形成するのがよく、蒲鉾状の半円柱としてもよい。一方、前記作動体３２は、前記払出回転体３０の回転方向側方に位置して、リンク部材６５を介して電気的駆動源としてのソレノイド３３により可動するようにしている。前記作動体３２は、回動軸３４によって鉛直面内で揺動自在に軸支され、先端部を嘴状に尖らせて受止面３２ａを該作動体３２の回動軸３４がほぼ曲率中心である円弧面状に形成している。そして、前記払出回転体３０の軸支３９位置より上方位置で作動体３２の先端部を前記軸ピン３８，３８間に臨ませて、該軸ピン３８を前記受止面３２ａで支持することにより、払出回転体３０の回転を制御し得るように設けられている。前記作動体３２は基部に透孔４０が開設され、該透孔４０に略く字状に形成したリンク部材６５の係合ピン６６を係合させている。また、リンク部材６５は、作動体３２の下方に位置して軸６７により回動自在に軸着され、後端に二股状の係合部６８が形成されており、ソレノイド３３のプランジャ４１に固着された操作体６９の突片７０を係合させている。そして、ソレノイド３３を励磁することによってプランジャ４１がスプリング４２の弾性に抗して牽引されることから、リンク部材６５を介して該作動体３２が回動軸３４を中心として回転するように構成されている。なお、作動体３２の配設位置は限定されるものではなく、払出回転体３０の周方向に移動可能であり、前記払出回転体３０の軸支３９位置より下方位置で、軸ピン３８を前記受止面３２ａで支持するようにしてもよい。というのも、例え作動体３２が逆さになった状態としても軸ピン３８が受止面３２ａに係止することになり、どの状態で係止しても払出回転体３０の荷重を回動軸３４で受けることになるため、作動体３２が誤作動することはない。
【００１９】
前記作動体３２と電気的駆動源としてのソレノイド３３とをリンク部材６５を介して連繋するようにしたが、リンク部材６５を介すことなく作動体３２に二股状の係合部等を形成し、ソレノイド３３のプランジャ４１に直接係止させて、作動体３２をソレノイド３３と連繋するようにしてもよい。
【００２０】
前記排出通路部２９ｃには、払出回転体３０の凹歯３６の支持から解放され、払出された直後のパチンコ球を検知して計数する検知センサ４７を設けている。該検知センサ４７は、発光部４７ａと受光部４７ｂからなる光学式センサであり、排出通路部２９ｃの中心線からずれた位置（排出通路部２９ｃの側壁から２．５ｍｍ〜４ｍｍ離間した位置）でその光軸が交差するように配置され、前記払出回転体３０による拘束から解放されたパチンコ球が光軸を遮ることで、該パチンコ球を検知し得るように配置される。なお、発光部４７ａ及び受光部４７ｂの光を通すスリットは、図５に示すようにパチンコ球の流下方向に対して直交状に設けられ、その幅は約１ｍｍである。これにより、パチンコ球の検出時間が長くなり高速の払出し（１分間に約１８００個の払出し）において確実に対応できるようにしている。また、この実施の形態では検知センサ４７を、発光部４７ａと受光部４７ｂとが別体に形成されたものとしたが当然一体式のものであってもよい。このとき、確実な検知信号を得るために、通路幅をリブ壁によりパチンコ球とほぼ同径の１１．５ｍｍ程度に規制するのが好ましい。さらに、検知センサ４７は光学式のものに限定されることはなく、電磁式，静電容量式等の検知形式のセンサを使用することも可能である。このとき、パチンコ球が払出されてからセンサに検知されるまでのタイムラグを踏まえ、過剰払出しを防止するために、払出回転体３０の凹歯３６間の凸歯３７距離を適宜長くするのが好ましい。また、払出回転体３０が球荷重によってのみ回転することから、直接パチンコ球を検知することなく払出回転体３０の回転を検知するようにしてもパチンコ球の有無を検知することができる。
【００２１】
上記構成の球払出装置２４は、常態では図４に示すように、ソレノイド３３が消磁状態でプランジャ４１に巻装したスプリング４２の付勢により作動体３２の先端部が軸ピン３８，３８間に突出している。そして、球通路２９にパチンコ球が供給されると、図５に示すように最先のパチンコ球が払出回転体３０の凸歯３７で受けられると共に、該パチンコ球の荷重により払出回転体３０が回転しようとするも、軸ピン３８，３８間に突入した作動体３２の受止面３２ａで軸ピン３８を受けて払出回転体３０の回転を停止制御する。このとき、作動体３２の受止面３２ａが回動軸３４を中心とした真円弧面であるため、軸ピン３８にかかる流入通路部２９ａ内のパチンコ球の荷重は、すべて作動体３２の回動軸３４に向い該回動軸３４で受けることになり、球荷重により作動体３２を無用に回動させることはなく、確実に払出回転体３０の停止状態を保持することができる。
【００２２】
この状態で、入賞または貸球操作が行われると、球払出制御基板１８から球払出装置２４に球払出指令信号が発せられる。そして、その信号により図４鎖線に示すようにソレノイド３３が励磁し、それに伴い作動体３２が同図矢印方向に回動して、軸ピン３８との接触が解除されて払出回転体３０がフリー状態となる。このため、払出回転体３０が球通路２９のパチンコ球の荷重により同図矢印方向に回転し、図５鎖線に示すように凹歯３６の支持から解放されたパチンコ球は球検知センサ４７により検知計数される。このとき払出されるパチンコ球は、円弧状の移送通路部２９ｂにより流速を制御されて払出回転体３０の盲動を防止するようにしている。
【００２３】
そして、この状態で球検知センサ４７により所定数のパチンコ球の払出しが計数されると、ソレノイド３３が消磁してスプリング４２の付勢により作動体３２を図４実線位置に回動し、先端部が軸ピン３８，３８間に突出して該軸ピン３８を受止部３２ａで受止め、払出回転体３０の回転を停止制御する。このとき、常に作動体３２の回動軸３４を中心とした真円弧面である受止面３２ａで軸ピン３８を制御支持することから、球荷重は必ず回動軸３４で受けられることになる。しかも、作動体３２の作動時も受止面３２ａが真円弧面であるために、軸ピン３８，３８間をスムーズに進退することができて負荷も少なく、払出回転体３０の停止及び解除を確実なものとすることができる。そのため、ソレノイド３３の吸引力は小さくてもよく、ソレノイド３３の小型化ができてコストの低減を図ることができる。
【００２４】
また、球供給路１２のパチンコ球は、前記球払出装置２４の払出し動作に伴って自重で流下するが、図２に示すように幅広流路１２ｂのパチンコ球はジグザグ状に連続するパチンコ球の球心間Ｄがパチンコ球の径より小となっていることから、払出しが高速で行われてもパチンコ球間に隙間が生じることなく連続状態で流下する。このため、払出回転体３０の凹歯３６に咥えこまれるタイミングがずれて球噛み・空切りすることがなく、確実に球払出装置２４に供給され払出すことができる。また、幅広流路１２ｂを形成することにより、単幅流路１２ａを１列で連続して流下するパチンコ球の球圧が幅広流路１２ｂで分散されることになる。しかも、幅広流路１２ｂの下流側で再度パチンコ球１個分に絞り込む湾曲状の傾斜壁１４により球圧が受けられ、払出回転体３０に掛かる負荷がより小さくなる。
【００２５】
このように、一列で整列して流下する球供給路１２にパチンコ球が復列または半複列で流下し得る幅広流路１２ｂを形成することで、上流から流下してくるパチンコ球の球圧を該幅広流路１２ｂで瞬時に分散することができる。また、幅広流路１２ｂに所定個数のパチンコ球が複列又は半複列状態で貯留されることにより、連続するパチンコ球の球心間Ｄが球径より小となり、高速で払出しが行われて例え単幅流路１２ａで球間に隙間が生じ、幅広流路１２ｂにパチンコ球が間歇的に流入したとしても、幅広流路１２ｂから流出するパチンコ球間に隙間が生ずることはなく、球払出装置２４に確実に連続して供給することができる。
【００２６】
なお、前記幅広流路１２ｂは一側壁のみでなく両側壁を膨出して形成するようにしてもよく、両側壁を膨出することによりジグザグ状に整列しやすくなる。また、図６に示すように幅広流路１２ｂの流下範囲を広げて該幅広流路１２ｂに約２５個（球貸し１００円相当分）のパチンコ球が貯留されるようにするようにしてもよく、このとき球払出装置２４に掛かる球荷重を弱めるために、幅広流路１２ｂの途中に一瞬幅員を狭めて球圧を受けるブレーキ片１３を設けるのが好ましい。
【００２７】
また、球タンク１０と球払出装置２４とを結ぶ流下路の複数箇所に幅広流路１２ｂ１，１２ｂ２を形成するようにしてもよく、特に図７に示すように幅広流路１２ｂ１，１２ｂ２の膨出方向を前後左右方向（矢印方向）に異ならせて、パチンコ球の流下方向を変化させることにより球圧を軽減させるようにするのがよい。
【００２８】
また、図８に示すように前記幅広流路１２ｂの流入及び流出部は膨出方向に互いに位置をずらして設けるのが好ましく、流入及び流出部の位置をずらすことにより、流入部から流入したパチンコ球の球荷重は下方に位置する傾斜壁１４に受けられることになりさらに球圧が弱められ、球払出装置２４に掛かる負荷を小さくすることができスムーズな払出しをすることができる。
【００２９】
また、屈曲誘導樋２３に連なる球誘導樋２２の球供給路１１の終端幅を１２ｍｍ〜１４ｍｍとし、屈曲誘導樋２３の単幅流路１２ａを前記球供給路１１の終端幅より僅かに広くパチンコ球がほぼ一列状に整列して並ぶ１４ｍｍ〜１６ｍｍとしてもよく、球誘導樋２２と屈曲誘導樋２３との接続部でのずれ等の不具合によるトラブルを未然に防止することができる。しかも、僅かでも段階的に拡幅することになり、球供給路１１から流下するパチンコ球が単幅流路１２ａで球圧を拡散し弱められた状態で前記実施の形態に示した幅広流路１２ｂに流出させることができる。また、幅広流路は必ずしも垂直状に設けなければならないことはなく、傾斜状に設けられる球供給路１１，１２に単幅流路，幅広流路及び排出流路を設けるようにしてもよい。例えば球供給路１１の上流側の通路幅をパチンコ球が複列または半複列で流下し得る２１ｍｍ〜２４ｍｍの通路幅として、下流側を漏斗状に絞り込んでパチンコ球がほぼ１列で流下する１２ｍｍ〜１４ｍｍとして、その下流部に本発明の幅広流路を膨出して形成し、さらにその下流に排出流路を形成するようにして、その下流に球払出装置２４を設けるようにしてもよい。なお、この通路幅に限定されるものではなく、例えば上流側をパチンコ球が３球乃至５球並び得る通路幅としてもよい。このように、上流部が幅広の球供給路１１，１２を途中で一旦パチンコ球が１個流下し得る通路幅に縮幅して、さらに幅広流路１２ｂを設けることで、球供給路１１，１２の球荷重が球払出装置２４に一気に掛かることなく、段階的に弱められ負荷をかけることがない。
【００３０】
実施の形態においては球供給路１２を１条として球払出装置２４にパチンコ球を導くようにしたが、複数条で供給するようにしてもよく、それぞれの球供給路に幅広流路１２ｂを設けるようにすればよい。
【００３１】
なお、前記球払出装置２４の制御手段はモータとしてもよく、前記払出回転体３０をモータ７２により直接回転制御するようにしてもよい。例えばモータ７２は定格電圧が１２Ｖ〜３２Ｖのステッピングモータが使用され、図９に示すように払出回転体３０の５箇所の凸歯３７は支軸３９を中心とした円弧面より僅かに（０．５ｍｍ以下で好ましくは０．１〜０．３ｍｍ程度）反回転方向に下傾した緩やかな巴形状としており、凸歯３７で支持したパチンコ球の接点位置は荷重が支軸３９のほぼ直径範囲内に向うように設定され、荷重はほぼ支軸３９で受けられ、停止時に断電しても球圧で払出回転体３０が回転しないようにするのがよい。このとき、流入通路２９ａは始端が１４ｍｍの通路幅で凸歯３７で支持される部位では１１．５ｍｍ〜１２ｍｍとして屈曲しており、直線的に球供給路１２のパチンコ球の荷重が掛からないようにしている。また、始端部の通路幅が屈曲誘導樋２３の排出流路１２ｃより僅かに広いことにより、球払出装置２４の取付けが多少ずれても、屈曲誘導樋２３から確実に供給される。また、移送通路部２９ｂ及び排出通路部２９ｃは図１０に示すように規制リブ７３，７３によって通路幅をほぼパチンコ球径の１１．５ｍｍに規制して、移送通路部２９ｂ及び排出通路部２９ｃでパチンコ球がずれないようにしている。このため、検知センサ４７はほぼ排出通路部２９ｃの中心位置に設けられ、チャタリングにより誤作動しないように球検出及び球間波形が確実に１０ｍｓ在るようにしている。なお、前記規制リブ７３は必ずしも複数設ける必要はなく、複数設けるにしてもカバー体２８ｃに規制リブ７３を設ける際は、組付け時に通路部内方にずれてパチンコ球の流下の支障とならないように本体２８ａ側の規制リブ７３より僅か（０．１〜０．２ｍｍ程度）に小さく形成するのがよい。なお、前記移送通路部２９ｂは軸心３９の同心円より大径に設定され高速払出しによる巻き込みをしないように設定するのが好ましい。また、前記排出通路部２９ｃは回転方向に１０°〜２５°（図上２５°）下傾させるのが好ましく、２５０ｐｐｓ〜３５０ｐｐｓの回転（パチンコ球の流速１．８８ｋｍ〜２．６４ｋｍ）に対応できるようにするのがよい。この球払出装置２４は、３２０ｐｐｓの回転で２０００個前後の高速の払出しが可能である。なお、払出回転体３０は５枚羽根に限らず６枚羽根としてもよく、２７０ｐｐｓの回転で２０００個前後の高速の払出しが可能である。
【００３２】
さらに、高速の払出しを可能とするために、払出回転体３０を前記制御手段をソレノイド３３とした際の凸歯３７から凹歯３６にかけて軸心３９からの距離が漸次減少する巴形状としてもよい。このとき、巴形状とすることで球圧により払出回転体３０が回転し得るため、モータ７２の始動時の回転トルクはそれほど必要ではなく、前記ステッピングモータ７２を定格電圧より低い５〜９Ｖ程度（好ましくは７Ｖ程度）の通電で十分始動時の回転トルクが得られパチンコ球を払出すことができる。また、払出回転体３０の回転停止時においても、例えばモータ７２に７Ｖを通電して１相励磁することで確実に払出回転体３０を停止保持することができ、しかも通電状態を持続してもモータ７２は４５度前後にしか発熱せず、過熱により合成樹脂が溶融したり火災を引き起こしたりすることもない。なお、７Ｖで２相励磁してもモータ７２の過熱は５５度程度である。また、払出回転体３０の始動時は２６０ｐｐｓ程度の低速回転として、漸次３００ｐｐｓを超す高速回転とするのが好ましい。
【００３３】
なお、実施の形態においてパチンコ遊技機を例に説明したが、他にパチンコ球を使用するアレパチ，雀球，パチンコ球を賭数として回収して遊技する回胴式遊技機（パチロット）であってもよい。
【００３４】
【発明の効果】
以上説明したように本発明によれば、球タンクに貯留されたパチンコ球を一列に整列して流下させる単幅流路と、前記単幅流路の下流でパチンコ球がジグザグ状の形態をなして流下するように内幅をパチンコ球の直径の２倍より狭い範囲で拡幅した幅広流路と、前記幅広流路の下流を漏斗状に形成しパチンコ球を再び一列にして球払出装置に流下させる排出流路とを備えるようにしたので、前記幅広流路にパチンコ球が流入した際に球圧が分散され、球払出装置に掛かる負荷が小さくなり払出しがスムーズとなるという優れた効果を奏する。しかも、幅広流路に貯留されるパチンコ球の球間隔がパチンコ球の径より小となるため、高速で払出しが行われても、パチンコ球間に隙間が生じることがなく、球払出装置にパチンコ球を確実に供給することができ、球噛み・空切りが発生することがない。
【図面の簡単な説明】
【図１】パチンコ遊技機の裏面図である。
【図２】屈曲誘導樋部分の正面図である。
【図３】球払出装置の分解斜視図である。
【図４】一部断面にして示す球払出装置の正面図である。
【図５】図５の正面断面図である。
【図６】他の実施の形態の屈曲誘導樋の斜視図である。
【図７】さらに他の実施の形態の屈曲誘導樋の斜視図である。
【図８】他の実施の形態の屈曲誘導樋の正面断面図である。
【図９】他の実施の形態の球払出装置の正面断面図である。
【図１０】図９の要部平断面図である。
【符号の説明】
１０                  球タンク
１１                  球供給路
１２                  球供給路
１２ａ                単幅流路
１２ｂ                幅広流路
１２ｂ１，１２ｂ２    幅広流路
１２ｃ                排出流路
１４                  傾斜壁
２２                  球誘導樋
２３                  屈曲誘導樋
２４                  球払出装置
【図１】
2004159861.tif 000003
【図２】
2004159861.tif 000004
【図３】
2004159861.tif 000005
【図４】
2004159861.tif 000006
【図５】
2004159861.tif 000007
【図６】
2004159861.tif 000008
【図７】
2004159861.tif 000009
【図８】
2004159861.tif 000010
【図９】
2004159861.tif 000011
【図１０】
2004159861.tif 000012